(57)【要約】【課題】オーディオ録再装置１０は、楽曲情報データベースを格納するメモリカード２２を着脱自在に装着され、リッピングの際、メモリカード２２の楽曲情報データベースを検索して、リッピング対象の楽曲について楽曲名等の楽曲情報を取得し、該楽曲情報をタグに入れたオーディオファイルを記録先のメモリカード２３に記録する。該オーディオファイルの楽曲再生時に、その楽曲情報が表示部１３に的確に表示されるようにする。【解決手段】オーディオ録再装置１０の販売国仕向け及び機種（グレード）を読み込む（Ｓ５９，Ｓ６０）。楽曲情報データベースから取得する楽曲情報を、（ａ）販売国仕向けがヨーロッパである場合は、英語で（Ｓ６２）、（ｂ）販売国仕向け及び機種がそれぞれ日本及び上位機種である場合は、漢字で（Ｓ６４）、（ｃ）販売国仕向け及び機種がそれぞれ日本及び下位機種である場合は、読み仮名で（Ｓ６５）、それぞれ取得する。【選択図】図３
2010198675.tif 000002
【特許請求の範囲】
【請求項１】
楽曲データに対して、該楽曲データに関する付加情報を楽曲情報データベースより取得して、該付加情報を該楽曲データに関連付けて記録するオーディオ装置において、
前記オーディオ装置の表示仕様情報を判別する表示仕様情報判別手段、及び
前記楽曲情報データベースから取得する前記付加情報を、前記表示仕様情報判別手段により判別した表示仕様情報に係る文字種で取得する文字種取得手段、
を備えることを特徴とするオーディオ装置。
【請求項２】
前記表示仕様情報は、前記オーディオ装置のグレード情報を含むことを特徴とする請求項１記載のオーディオ装置。
【請求項３】
前記表示仕様情報は、前記オーディオ装置の販売国情報を含むことを特徴とする請求項１又は２記載のオーディオ装置。
【請求項４】
前記文字種取得手段は、所定の付加情報については、前記表示仕様情報判別手段により判別した表示仕様情報に応じて取得又は非取得とすることを特徴とする請求項１〜３のいずれかに記載のオーディオ装置。
【請求項５】
楽曲データに対して、該楽曲データに関する付加情報を楽曲情報データベースより取得して、該付加情報を該楽曲データに関連付けて記録するオーディオ装置の制御方法において、
前記オーディオ装置の表示仕様情報を判別する表示仕様情報判別ステップ、及び
前記楽曲情報データベースから取得する前記付加情報を、前記表示仕様情報判別ステップにおいて判別した表示仕様情報に係る文字種で取得する文字種取得ステップ、
を備えることを特徴とするオーディオ装置制御方法。
【請求項６】
請求項１〜４のいずれかに記載のオーディオ装置の各手段としてコンピュータを機能させるプログラム。
【発明の詳細な説明】
【技術分野】
【０００１】
本発明は、楽曲データに関する付加情報を楽曲情報データベースより取得して該楽曲データに関連付けて記録するオーディオ装置、方法及びプログラムに関する。
【背景技術】
【０００２】
特許文献１は、表示器にユーザ出身地のユーザ情報画面を表示し（特許文献１の図３のＳ１及び図４（ａ））、ユーザが検索ボタンを操作すると（特許文献１の図３のＳ２のＳＫ）、楽曲情報データベースを検索して、出身地に関係する楽曲の曲名やアーティスト名を収集し（特許文献１の段落００３２及び図３のＳ５）、それら曲名やアーティスト名を含むプレイリストを表示器に表示する（特許文献１の図３のＳ６，Ｓ７及び図４（ｃ））ことを開示する。
【０００３】
従来のオーディオ装置では、楽曲を録音元メディア（例：ＣＤやＤＶＤ）から録音先メディア（例：ＳＤカードやＵＳＢメモリ）へ録音する際に、楽曲データベース（例：ｇｒａｃｅｎｏｔｅやＡＭＧ  ＬＡＳＳＯ等）へアクセスして、録音元メディアのＴＯＣ（Table of Contents）等の情報に基づき該楽曲データベースより楽曲名等の付加情報を取得して、該付加情報をタグ情報にした楽曲ファイルを録音先メディアに記録することが行われている。また、上記のような楽曲データベースにおいては、楽曲のタイトルやアーティスト名などが、アルファベットや全角漢字、全角平仮名、半角片仮名など複数の表示表記形式で登録されているものもある。
【先行技術文献】
【特許文献】
【０００４】
【特許文献１】特開２００８−８４３７４号公報
【発明の概要】
【発明が解決しようとする課題】
【０００５】
オーディオ装置は種々のグレードや販売国のものが存在するが、それに装備されるマイコン及びそれが実行するプログラムはグレードや販売国に関係なく共通化されることが一般的である。これに対し、オーディオ装置が装備する表示器は、グレードに応じて読み仮名としての片仮名とアルファベットしか表示できなかったり、読み仮名やアルファベット以外に漢字や平仮名も表示できたりする。また、オーディオ装置の表示器は販売国のユーザの言語で文字を表示する。従来のオーディオ装置では、各楽曲に対しその付加情報を楽曲データベースから取得するものの、該付加情報の文字種を選別することはない。したがって、楽曲情報データベースから取得した付加情報を、漢字非対応の表示器に対して片仮名で表示できなかったり、漢字対応の表示器に対して漢字で表示できなかったり、アルファベット使用圏のオーディオ装置の表示器に漢字で表示したりする問題がある。
【０００６】
特許文献１は、楽曲データベースからの付加情報の取得を開示するのみであり、的確な文字種の付加情報を楽曲データベースから選別、取得して、該付加情報を表示器対応の文字種で表示したり、メディアに記録したりする具体的手段について開示及び示唆していない。
【０００７】
本発明の目的は、各楽曲に対して楽曲情報データベースから取得する付加情報を表示器に適切な文字種で表示できるようにしたオーディオ装置、方法及びプログラムを提供することである。
【課題を解決するための手段】
【０００８】
本発明によれば、自機に装備されている表示器の表示仕様情報（例：オーディオ装置のグレード情報や販売国情報）を判別し、楽曲情報データベースから取得する付加情報の文字種を表示仕様情報に基づき選別する。
【０００９】
本発明のオーディオ装置は、楽曲データに対して、該楽曲データに関する付加情報を楽曲情報データベースより取得して、該付加情報を該楽曲データに関連付けて記録するものであり、次の手段を備える。
前記オーディオ装置の表示仕様情報を判別する表示仕様情報判別手段、及び
前記楽曲情報データベースから取得する前記付加情報を、前記表示仕様情報判別手段により判別した表示仕様情報に係る文字種で取得する文字種取得手段。
【００１０】
本発明の制御方法は、楽曲データに対して、該楽曲データに関する付加情報を楽曲情報データベースより取得して、該付加情報を該楽曲データに関連付けて記録するオーディオ装置の制御方法であって、次のステップを備える。
前記オーディオ装置の表示仕様情報を判別する表示仕様情報判別ステップ、及び
前記楽曲情報データベースから取得する前記付加情報を、前記表示仕様情報判別ステップにおいて判別した表示仕様情報に係る文字種で取得する文字種取得ステップ。
【００１１】
本発明のプログラムは本発明のオーディオ装置の各手段としてコンピュータを機能させる。
【発明の効果】
【００１２】
本発明によれば、自機の表示仕様情報を判別し、判別した表示仕様情報に基づき文字種を選別して、楽曲情報データベースから付加情報を取得するので、表示器が対応している文字種で付加情報を表示することができる。
【図面の簡単な説明】
【００１３】
【図１】オーディオ録再装置をその前方の斜め上方から見た斜視図である。
【図２】オーディオ録再装置のブロック図である。
【図３】文字種選別楽曲情報取得方法のフローチャートである。
【図４】漢字楽曲情報取得ルーチンのフローチャートである。
【図５】リッピングルーチンのフローチャートである。
【図６】オーディオ装置のブロック図である。
【図７】オーディオ装置制御方法のフローチャートである。
【発明を実施するための形態】
【００１４】
図１はオーディオ録再装置１０をその前方の斜め上方から見た斜視図である。実際の使用時では、左右のスピーカ（図示せず）が、オーディオ録再装置１０へ接続されて、オーディオ録再装置１０からの音声信号に係る音を出力するようになっている。前面パネル１１にはＣＤスロット１２、表示部１３、操作部１４、メモリカードスロット１５，１６及びＵＳＢ差込口１７が配備される。
【００１５】
ＣＤスロット１２は、前面パネル１１の上部に配置され、ＣＤやＤＶＤを挿抜自在に挿入される。表示部１３は、ＣＤスロット１２の下に位置し、液晶、ＬＥＤ（Light Emitting Diode）又はＦＬ管等から成り、情報をテキストや画像等で表示する。操作部１４は、前面パネル１１の右端部に配列された複数のボタンから成り、ユーザがオーディオ録再装置１０へ指示を出す際に押下される。
【００１６】
メモリカードスロット１５，１６は、表示部１３の下方において左右に並んで配置され、メモリカード２２，２３をそれぞれ挿抜自在に挿入されるようになっている。メモリカード２２，２３は例えばＳＤカードやメモリスティック等のフラッシュメモリである。ＵＳＢ差込口１７は、操作部１４の下方に配置され、ＵＳＢメモリ２５を着脱自在に装着される。ＵＳＢ差込口１７には、ＵＳＢケーブルも接続可能であり、例えばポケット型デジタルオーディオプレーヤがＵＳＢケーブルを介してオーディオ録再装置１０へ接続可能になっている。
【００１７】
図２はオーディオ録再装置１０のブロック図である。セレクタ３１は、システムマイコン３４からの制御信号に基づき受信部（具体的には例えばラジオチューナ）３５及びアナログ入力部３６のどちらかを選択し、選択した方のアナログ信号をＡＤＣ（アナログ／デジタル変換器）４０へ出力する。ＣＤメカ部４２は、それへ装填されたＣＤから読み出したデータや所定の検出信号をデジタル形式でＤＳＰ（Digital Signal Processor）４３へ送る。ＡＤＣ４０は、セレクタ３１からのアナログ信号をデジタル信号へ変換して、ＤＳＰ４３へ出力する。
【００１８】
表示部１３は、システムマイコン３４からの表示データに基づきテキスト等の情報を表示する。操作部１４は、ユーザ操作のあったボタンに係る情報をシステムマイコン３４へ出力する。操作部１４は、オーディオ録再装置１０の本体に配備するものとは別に、ワイヤレスリモコン装置に配備のものを含むことができる。
【００１９】
システムマイコン３４は、ＤＳＰ４３と共用する記憶部４４に対し、データの読み書きを可能にしている。記憶部４４は例えばハードディスク装置である。システムマイコン３４は、ＣＤメカ部４２、操作部１４及びＤＳＰ４３からデータを入力され、それらからの入力に基づき所定の処理を行うとともに、表示部１３、セレクタ３１、ＣＤメカ部４２及びＤＳＰ４３へデータや制御信号を出力する。
【００２０】
ＤＳＰ４３は、エンコーダ及びデコーダを実装しており、エンコードやデコード等の種々の演算を実行する。メモリカード用インターフェース４５，４６及びＵＳＢコントローラ４７は、それぞれメモリカードスロット１５，１６及びＵＳＢ差込口１７に対応しており、それぞれメモリカードスロット１５，１６及びＵＳＢ差込口１７に差し込まれたメモリカード２２，２３及びＵＳＢメモリ２５に対してデータを読み書きする。ＵＳＢコントローラ４７には、ＵＳＢメモリ２５に代えて、ＵＳＢケーブルの親側のコネクタを接続することもできる。
【００２１】
ＤＳＰ４３は記憶部４４との間でもデータを送受する。ＤＳＰ４３における処理対象ソースの選択は、ユーザによる操作部１４における直接的なユーザ選択指示の他に、操作部１４におけるワンタッチ録音指示等の所定のユーザ指示によっても行われる。
【００２２】
記憶部４４や装着中のメモリカード２２，２３及びＵＳＢメモリ２５に格納されているＭＰ３（MPEG Audio Layer-3）やＷＭＡ（Windows（登録商標） Media Audio）等のオーディオファイル（典型的には楽曲ファイル）は、そのデータをＤＳＰ４３により読み出されて、デコードされ、ＤＡＣ（デジタル／アナログ変換器）５１へ送られる。ＤＡＣ５１は、デジタルのオーディオ信号をアナログのオーディオ信号へ変換する。該オーディオ信号は、増幅部５２において増幅されてから、出力部５３へ供給される。出力部５３にはスピーカ（図示せず）が接続されている。
【００２３】
図３は文字種選別楽曲情報取得方法５８のフローチャートである。文字種選別楽曲情報取得方法５８は、例えば（ａ）オーディオ録再装置１０の電源がオンになるつど、（ｂ）ＣＤ又はＤＶＤがＣＤスロット１２に挿入されるつど、又は（ｃ）リッピングルーチン８０（図５）の開始を検出するのに伴い、該リッピングルーチン８０の開始に先立ち、実行される。なお、文字種選別楽曲情報取得方法５８の内、Ｓ５９〜Ｓ６１，Ｓ６３の実行結果は、各オーディオ録再装置１０において不変であるので、その実行結果の情報を、オーディオ録再装置１０に内蔵される記憶部４４等の不揮発性メモリに記憶しておけば、Ｓ５９〜Ｓ６１，Ｓ６３は、工場出荷時かユーザがオーディオ録再装置１０を最初に使用した時かに１回だけ、実行し、以降は、その実行結果の情報を該不揮発性メモリから読み出すだけで、済ませることができる。
【００２４】
Ｓ５９では、オーディオ録再装置１０の販売国仕向けを読み込む。ここで販売国仕向けの情報を代入する変数を”ｓｉｍｕｋｅ”とする。また、オーディオ録再装置１０の販売国仕向けには、ヨーロッパと日本との２つがあると想定し、この例では、ヨーロッパ及び日本に対して０，１を割り当てる。Ｓ５９の実施の結果、オーディオ録再装置１０の販売国仕向けがヨーロッパ及び日本である場合には、ｓｉｍｕｋｅにはそれぞれ０，１が代入される。
【００２５】
システムマイコン３４がオーディオ録再装置１０の販売国仕向けを判別する具体的な仕方としては、（ａ）システムマイコン３４の所定の入力ポートに、販売国仕向けがヨーロッパであるか日本であるかに応じてそれぞれＨｉｇｈ，Ｌｏｗが入力されるように仕組む仕方、又は（ｂ）システムマイコン３４がそのＡＤ（アナログ／デジタル）入力ポートを介して所定箇所の電圧レベル（例：電源電圧）を検出する仕方がある。
【００２６】
Ｓ６０では、オーディオ録再装置１０の機種を読み込む。ここで機種の情報を代入する変数を”ｍｏｄｅｌ”とする。また、オーディオ録再装置１０の機種はオーディオ録再装置１０のグレードに対応しているとし、この例では、オーディオ録再装置１０のグレードには上位及び下位の２つがあるとする。この例では、ｍｏｄｅｌには、上位及び下位のグレードに対してそれぞれ０，１が割り当てられる。
【００２７】
上位機種のオーディオ録再装置１０における表示部１３は、例えば液晶やＬＥＤ等によるフルドット表示で漢字対応となっている。下位機種のオーディオ録再装置１０における表示部１３は、例えば５×７ドット表示（ＦＬ管表示装置）で漢字表示には非対応であり、アルファベットと読み仮名としての片仮名との表示のみに対応している。なお、典型的には、アルファベットと読み仮名としての片仮名との表示のみの対応とは、半角のアルファベットと半角の片仮名との表示のみの対応を意味する。また、典型的には、漢字表示対応とは、全角の漢字等の文字だけでなく、半角のアルファベット及び半角の片仮名の表示も可能であることを意味する。Ｓ６０の実施の結果、オーディオ録再装置１０の機種がそれぞれ上位及び下位である場合には、ｍｏｄｅｌにはそれぞれ０，１が代入される。
【００２８】
システムマイコン３４がオーディオ録再装置１０の機種を判別する具体的な仕方としては、オーディオ録再装置１０の前述した販売国仕向けを判別する具体的な仕方と同じく、（ａ）システムマイコン３４の所定の入力ポートに、機種が上位及び下位である場合には、それぞれＨｉｇｈ，Ｌｏｗが入力されるように仕組む仕方、又は（ｂ）システムマイコン３４がそのＡＤ（アナログ／デジタル）入力ポートを介して所定箇所の電圧レベルを検出する仕方がある。
【００２９】
Ｓ６１では、ｓｉｍｕｋｅが１であるか０であるかを判定し、１であれば、Ｓ６３へ進み、０であれば、Ｓ６２へ進む。Ｓ６２では、関数ＧｅｔＴｉｔｌｅ＿Ｅｎｇを実行する。なお、ここで関数とは、Ｃ言語で言う関数を意味し、所定の引数を付けて関数を実行することにより、該関数に定義されている処理が実行されるとともに、所定の戻し値を返す。
【００３０】
Ｓ６３では、ｍｏｄｅｌが１であるか０であるかを判定し、１であれば、Ｓ６５へ進み、０であれば、Ｓ６４へ進む。Ｓ６４では、関数ＧｅｔＴｉｔｌｅ＿Ｋａｎｊｉを実行する。Ｓ６５では、関数ＧｅｔＴｉｔｌｅ＿Ｙｏｍｉを実行する。
【００３１】
図４は漢字楽曲情報取得ルーチン７０のフローチャートである。漢字楽曲情報取得ルーチン７０は、文字種選別楽曲情報取得方法５８（図３）のＳ６４の具体的処理内容になっている。Ｓ７１では、ＣＤがＣＤスロット１２に挿入されたことに伴い、ＣＤのＴＯＣ情報を取得する。
【００３２】
Ｓ７２では、ＴＯＣ情報に基づき楽曲情報データベースを検索する。楽曲情報データベースは、例えば記憶部４４に予め格納されていたり、メモリカード用インターフェース４５又は４６に適宜挿入するメモリカード２２又は２３（例：ＳＤカードやメモリスティック等のフラッシュメモリ）に格納されている。楽曲情報データベースはインターネットやＬＡＮの所定のサーバに装備されているものであってもよい。その場合、オーディオ録再装置１０は、ネットワークを介して該サーバへ接続される。
【００３３】
Ｓ７３では、Ｓ７２における検索によりタイトルがヒットしたか否か、すなわち、当該ＴＯＣ情報に対応するタイトルが楽曲情報データベースにおいて見つかったか否かを判定し、判定が正であれば、Ｓ７４へ進み、否であれば、Ｓ７６へ進む。Ｓ７６では、タイトルがヒットしなかった旨を表示部１３に表示する。
【００３４】
Ｓ７４では、ヒットしたタイトルを日本語漢字の文字種で取得する。文字種が漢字である場合、該漢字には、漢字だけでなく、平仮名、片仮名及びアルファベットの全部を含む。Ｓ７５では、取得したタイトルを表示部１３に表示する。
【００３５】
漢字楽曲情報取得ルーチン７０は、関数ＧｅｔＴｉｔｌｅ＿Ｋａｎｊｉの処理内容となっているが、関数ＧｅｔＴｉｔｌｅ＿Ｅｎｇ及び関数ＧｅｔＴｉｔｌｅ＿Ｙｏｍｉの処理内容は、漢字楽曲情報取得ルーチン７０のＳ７４がそれぞれ「ヒットしたタイトルを英語の文字種で取得する。」及び「ヒットしたタイトルを読み仮名の文字種で取得する。」に変更されるだけであり、他のステップは漢字楽曲情報取得ルーチン７０と同一である。なお、この場合、読み仮名は片仮名である。
【００３６】
図５はリッピングルーチン８０のフローチャートである。Ｓ８１では、リッピングが開始される。リッピングはユーザが操作部１４における録音ボタンを押下するのに伴い開始される。リッピングは、操作部１４における１回のユーザ操作で、ＣＤ内の１曲についてのみ実施される場合と、ユーザにより予めプログラムされた数曲について実施される場合と、全曲について実施される場合とがある。
【００３７】
Ｓ８２ではタイトル情報が有るか否かを判定する。Ｓ８２の判定の具体的な仕方は、漢字楽曲情報取得ルーチン７０（図４）においてＳ７４を実施していたならば、Ｓ８２の判定を正とし、Ｓ７６を実施していたならば、Ｓ８２の判定を否とするものである。
【００３８】
Ｓ８２の判定が否であれば、データベースを参照したタイトルを付与せずにリッピングデータを作成してリッピングルーチン８０を終了する。この場合に、ＣＤのトラックの音を録音してＳＤカード等に格納される録音ファイルとしてのＭＰ３やＷＭＡ等の楽曲ファイルには、タイトルとして通番などが付与される。通番とは、楽曲ファイルが格納される記憶装置（例：ＳＤカード）に記録順に付けられる番号であり、例えば、”００１”，””００２”，”００３”，・・・である。
【００３９】
Ｓ８２の判定が正であれば、Ｓ８３へ進む。Ｓ８３では、リッピング対象の楽曲のファイルをＳＤカード（典型的には、楽曲関連情報データベースが格納されているメモリカード以外のメモリカード、又は同一のメモリカード内であって楽曲関連情報データベースが格納されているフォルダとは別のフォルダ。）、ＵＳＢメモリ２５又は記憶部４４にＷＭＡやＭＰ３等の圧縮ファイル形式で格納するとともに、その際、タイトル情報を該ファイル内のタグ（例：ＭＰ３のＩＤ３タグ）の内容や、該ファイルを格納するフォルダの名前や、ファイル名（ファイル名の一部及び全部のどちらでも可）として付与する。
【００４０】
リッピングにより作成された楽曲ファイルを格納したメモリカード２２，２３やＵＳＢメモリ２５は、その後、そのままオーディオ録再装置１０に装着されたまま、楽曲の再生に使用されたり、メモリカードスロット１５，１６又はＵＳＢ差込口１７から外されて、別のものと交換されてから、再度、装着されて、楽曲の再生に使用されたりする。楽曲ファイルに対応付けてＩＤ３タグ等に記録されている楽曲名等の楽曲情報は、該楽曲ファイルの再生の際に、表示部１３に表示される。該楽曲情報は、また、ユーザが、アーティスト名、アルバム名、楽曲名又はジャンルに基づき所望の楽曲を検索する際の情報として使用されるとともに、該当楽曲のリストに含められて表示部１３に表示される。
【００４１】
リッピングによりＳＤカード等に記録したオーディオファイルに係る楽曲について該楽曲情報を表示部１３に表示する時の該楽曲情報は、該楽曲情報を該楽曲に対応付けて該ＳＤカード等に記録した時の文字種で表示部１３に表示される。記録時の文字種は、表示部１３の仕様に対応したものとなっているので、表示部１３に表示される楽曲情報の文字種は、（ａ）オーディオ録再装置１０の販売仕向け国がヨーロッパである場合は、英語となり、（ｂ）オーディオ録再装置１０の販売仕向け国及びグレードが日本及び上位である場合には、漢字となり、（ｃ）オーディオ録再装置１０の販売仕向け国及びグレードが日本及び下位である場合には、片仮名となる。
【００４２】
図６はオーディオ装置９０のブロック図である。オーディオ装置９０の一例はオーディオ録再装置１０である。オーディオ装置９０は、楽曲データに対して、該楽曲データに関する付加情報を楽曲情報データベース９５より取得して、該付加情報を該楽曲データに関連付けて記録する。オーディオ装置９０は表示仕様情報判別手段９１及び文字種取得手段９２を備える。
【００４３】
表示仕様情報判別手段９１は、オーディオ装置９０の表示仕様情報を判別する。文字種取得手段９２は、楽曲情報データベース９５から取得する付加情報を、表示仕様情報判別手段９１により判別した表示仕様情報に係る文字種で取得する。
【００４４】
表示仕様情報とは、例えば、オーディオ装置９０のグレード情報及び／又は販売国情報である。オーディオ装置９０のグレード情報は、オーディオ録再装置１０の機種情報（図３のＳ６０）に対応し、オーディオ装置９０の販売国情報は、オーディオ録再装置１０の販売国仕向け（図３のＳ５９）に対応する。
【００４５】
文字種とは、例えばアルファベット、漢字又は片仮名である。さらに、アルファベットを細かく分けて、文字種を販売国の国語に応じて英語や独語や仏語等とすることもできる。典型的には、漢字としての文字種には、アルファベット、平仮名及び片仮名も含まれるので、文字種が漢字としてオーディオ装置９０の表示器に表示する付加情報には、漢字と共に、アルファベット、平仮名及び／又は片仮名が混在する場合がある。
【００４６】
付加情報とは、例えば、楽曲データに係る楽曲についての楽曲名、アーティスト名、アルバム名及び／又はジャンル等の楽曲関連情報である。付加情報には、テキストの他に、テキストには含められない記号やジャケット写真等の画像を含めることができる。オーディオ装置９０の表示仕様には、テキストのみ表示可の他に、画像表示も可の情報も含めることができる。
【００４７】
付加情報の記録先は、例えば、オーディオ装置９０が内蔵するメモリ（例：図１の記憶部４４）、又はオーディオ装置９０に着脱自在に装着されているフラッシュメモリ（例：図１のメモリカード２２，２３又はＵＳＢメモリ２５）である。付加情報は、典型的には、記憶装置に楽曲データに係るオーディオファイルに対応付けてオーディオファイルと共に記録される。対応付けとは、具体的には、例えば、（ａ）付加情報をオーディオファイルのタグとして格納したり、（ｂ）オーディオファイルのファイル名の一部に含ませたりすることの他に、（ｃ）オーディオファイルのフォルダの名前とすることである。（ｃ）の場合、例えば、各楽曲について、楽曲名はファイル名の一部に含ませ、アルバム名は、ファイルを直接格納しているフォルダ名とし、アーティスト名はアルバム名のフォルダより１階層上のフォルダのフォルダ名とすることができる。
【００４８】
楽曲情報データベース９５は、典型的には、オーディオ装置９０が内蔵するメモリ（例：図１の記憶部４４）、又はオーディオ装置９０に着脱自在に装着されているフラッシュメモリ（例：図１のメモリカード２２，２３又はＵＳＢメモリ２５）に格納されている。楽曲情報データベース９５は、オーディオ装置９０がインターネットやＬＡＮ等のネットワークを介して接続されるサーバに実装されているものであってもよい。
【００４９】
好ましくは、文字種取得手段９２は、所定の付加情報については、表示仕様情報判別手段９１により判別した表示仕様情報に応じて取得したり、非取得としたりする。所定の付加情報とは、例えばジャケット写真等の画像である。オーディオ装置９０が装備する表示器には、例えば液晶表示器やＦＬ管表示器があり、ジャケット写真の画像は液晶表示器では表示可能であるが、ＦＬ管表示器では表示不可能である。したがって、オーディオ装置９０が装備する表示器が液晶表示器のように表示仕様が画像対応のものであれば、画像の付加情報も取得する。これに対し、オーディオ装置９０が装備する表示器がＦＬ管表示器のように表示仕様が画像に非対応のものであれば、楽曲名等のテキストの付加情報は取得するものの、画像の付加情報については取得しないことにする。
【００５０】
図７はオーディオ装置制御方法１００のフローチャートである。オーディオ装置制御方法１００はオーディオ装置９０に適用される。Ｓ１０１では、オーディオ装置９０の表示仕様情報を判別する。Ｓ１０２では、楽曲情報データベース９５から取得する付加情報を表示仕様情報に係る文字種で取得する。
【００５１】
Ｓ１０１，Ｓ１０２の処理は、オーディオ装置９０（図５）の表示仕様情報判別手段９１及び文字種取得手段９２の機能にそれぞれ対応している。したがって、表示仕様情報判別手段９１及び文字種取得手段９２の機能について述べた具体的態様はＳ１０１，Ｓ１０２の処理についての具体的態様としても適用可能である。
【００５２】
本発明を適用したプログラムは、コンピュータをオーディオ装置９０の各手段として機能させる。本発明を適用した別のプログラムは、オーディオ装置制御方法１００の各ステップをコンピュータに実行させる。
【００５３】
本明細書は様々な範囲及びレベルの発明を開示している。それら発明は、本明細書で説明した様々な技術的範囲及び具体的レベルの各装置及び各方法だけでなく、拡張ないし一般化の範囲で、各装置及び各方法から独立の作用、効果を奏する１つ又は複数の要素を抽出したものや、１つ又は複数の要素を拡張ないし一般化の範囲で変更したものや、さらに、各装置間及び各方法間で１つ又は複数の要素の組合せを入れ換えたものを含む。
【符号の説明】
【００５４】
５８：文字種選別楽曲情報取得方法、７０：漢字楽曲情報取得ルーチン、９０：オーディオ装置、９１：表示仕様情報判別手段、９２：文字種取得手段、１００：オーディオ装置制御方法。
【図１】
2010198675.tif 000003
【図２】
2010198675.tif 000004
【図３】
2010198675.tif 000005
【図４】
2010198675.tif 000006
【図５】
2010198675.tif 000007
【図６】
2010198675.tif 000008
【図７】
2010198675.tif 000009